(57)【要約】【課題】携帯電話機の表示画面の文字や画像を拡大し、表示部の表面を擦傷や汚れから保護し、携帯電話機の表示部に繰り返し着脱することが容易で、安価で外観上も目立たず、収納スペースが不要で、意匠性に優れた携帯電話機用レンズフィルムを提供すること。【解決手段】携帯電話機の表示部の表面に繰り返し付着し、かつ、剥離することが容易な透明な携帯電話機用レンズフィルムであって、透明樹脂により形成されたフレネルレンズ部と、前記フレネルレンズ部を付着させるための接着部と、フレネルレンズ部及び前記接着部を剥がすための剥がし部とを備え、前記接着部は、携帯電話機の表示部に繰り返し着脱可能な粘性の粘着剤から生成され、携帯電話機の表示部を拡大表示するときには、前記携帯電話機の表示部の表面から略垂直方向に一定の距離になるように剥がし、携帯電話機の表示部を拡大表示しないときには、前記携帯電話機の表示部の表面に付着させる構造を備える。【選択図】図１
0003125218.tif 000002
【実用新案登録請求の範囲】
【請求項１】
携帯電話機の表示部の表面に貼り付けられる透明樹脂により形成されたフレネルレンズ部と、前記フレネルレンズ部の裏面に形成されて前記フレネルレンズを携帯電話機の表示部の表面に付着させるための接着部とを備え、前記接着部は、携帯電話機の表示部の表面に繰り返し着脱可能な粘性を有する材質を含み、前記携帯電話機の表示部を拡大表示するときには、使用者が前記携帯電話機の表示部の表面から略垂直方向に剥がして使用し、携帯電話機の表示部を拡大表示しないときには、前記携帯電話機の表示部の表面に付着させて表示部の表面を保護することを特徴とする携帯電話機用レンズフィルム。
【請求項２】
前記接着部は、前記フレネルレンズ部と接合するための接着剤層と、表面に特殊加工をして繰り返し着脱可能な粘着力を持たせたポリエステルフィルムとから構成されることを特徴とする請求項１に記載の携帯電話機用レンズフィルム。
【請求項３】
前記接着部は、前記フレネルレンズ部と接合するための接着剤層と、透明な樹脂材料により生成される基材と、繰り返し着脱可能な粘着力を持たせた接着剤とから構成されることを特徴とする請求項１に記載の携帯電話機用レンズフィルム。
【請求項４】
前記フレネルレンズ部と前記接着部とを合わせたときの厚みが０．５ｍｍ以下であることを特徴とする請求項１に記載の携帯電話機用レンズフィルム。
【請求項５】
前記フレネルレンズ部は、上面を平面とした補強板と前記補強板の下面に接合されたフレネルレンズとを具備することを特徴とする請求項１に記載の携帯電話機用レンズフィルム。
【請求項６】
前記フレネルレンズ部は、端部にリブを有することを特徴とする請求項１に記載の携帯電話機用レンズフィルム。
【請求項７】
前記フレネルレンズ部の一部に印刷可能領域を有することを特徴とする請求項１に記載の携帯電話機用レンズフィルム。
【考案の詳細な説明】
【技術分野】
【０００１】本考案は、携帯電話機の表示画面の文字や画像を拡大し、かつ、表示部の表面を擦傷や汚れから保護する携帯電話機用レンズフィルムに関する。
【背景技術】
【０００２】従来、携帯電話機は小型であることが望まれ、その表示画面も必然的に小さい面積となるため、表示される文字及び画像も小さくならざるを得なかった。これに対して、ディスプレーに取り込む文字、及び画像の量は増大し、小さなディスプレー内での文字、画像が視力の弱い人、高齢者にとっては見難く直ちに視認することが困難であった。また、携帯電話の通話使用時に、携帯電話機の表示部の表面が使用者の顔に接触し皮脂や埃等が付着して表示部の表面が汚れ、あるいは、カバンの中等にしまうときに携帯電話機の表示部の表面が他の物と接触して表示部の表面に擦傷がつくことがあった。【０００３】これまで携帯電話機の表示画面の文字や画像を拡大するために、フレネルレンズを携帯電話機の表示部の表面から垂直方向に一定の距離を保つとともに、フレネルレンズを携帯電話機の表示部の両側面に取り付ける機構を備えたものが開示されている。例えば特許文献１乃至５に開示されている。【０００４】また、折り畳み式携帯電話機に対応するべく、取り付け方法に工夫を凝らし、両面テープもしくは粘着加工を用いてフレネルレンズを携帯電話の折り曲げ部分の根元に取り付けるものが開示されている。例えば特許文献６に開示されている。【０００５】さらに、携帯電話機のアクセサリーと同様にプラスチック製の小型のフレネルレンズを、紐体をストラップとして用いることにより携帯電話機の取り付け穴に取り付けるものが開示されている。例えば特許文献７に開示されている。【０００６】特許文献１乃至５に開示された携帯電話機のディスプレー拡大器具、特許文献６に開示された折り畳み式携帯電話の表示画面拡大レンズ及び特許文献７に開示された携帯電話機に紐体を用いて小型のフレネルレンズを取り付ける形態のものは、確かに、携帯電話機の表示画面の文字や画像を拡大して見ることが可能となる。【０００７】しかしながら、特許文献１乃至５に開示された携帯電話機のディスプレー拡大器具は、フレネルレンズを携帯電話に取り付ける機構のために、これを携帯電話機に取り付けると、全体として大きくなり、使い勝手が悪いという問題がある。【０００８】また、特許文献６に開示された折り畳み式携帯電話の表示画面拡大レンズは、レンズを接着している部分が一端のみで他端部は上下に動くため、通話に用いる時に他端部が邪魔になるという問題があり、また、折り畳み式ではないスライド式の携帯電話機などには使用できないという問題がある。【０００９】さらに、特許文献７に開示された携帯電話機に小型のフレネルレンズを取り付けるものについても、場所をとり、収納に不便であり、外観上も意匠性が悪くなるという問題がある。【００１０】
【特許文献１】特開２００３−３１９０５２
【特許文献２】特開２００３−２０４３８２
【特許文献３】特開２００３−５７５６４
【特許文献４】特開２００３−１８２７０
【特許文献５】特開２００２−３６８８５４
【特許文献６】登録実用新案第３１２０６３８号
【特許文献７】登録実用新案第３０８４５２６号
【考案の開示】
【考案が解決しようとする課題】
【００１１】本考案の目的は、携帯電話機の表示画面の文字や画像を拡大し、かつ、表示部の表面を擦傷や汚れから保護し、かつ、携帯電話機の表示部に繰り返し着脱することが容易で、かつ、安価で外観上も目立たず、収納スペースが不要で、意匠性に優れた携帯電話機用レンズフィルムを提供することにある。
【課題を解決するための手段】
【００１２】一実施形態に係る本考案の携帯電話機用レンズフィルムは、携帯電話機の表示部の表面に貼り付けられる透明樹脂により形成されたフレネルレンズ部と、前記フレネルレンズ部の裏面に形成されて前記フレネルレンズを携帯電話機の表示部の表面に付着させるための接着部とを備え、前記接着部は、携帯電話機の表示部の表面に繰り返し着脱可能な粘性を有する材質を含み、前記携帯電話機の表示部を拡大表示するときには、使用者が前記携帯電話機の表示部の表面から略垂直方向に剥がして使用し、携帯電話機の表示部を拡大表示しないときには、前記携帯電話機の表示部の表面に付着させて表示部の表面を保護することを特徴としている。
【考案の効果】
【００１３】本考案の一実施形態によれば、携帯電話機の表示画面の文字や画像を拡大し、かつ、表示部の表面を擦傷や汚れから保護し、かつ、携帯電話機の表示部に繰り返し着脱することが容易で、かつ、安価で外観上も目立たず、収納スペースが不要で、意匠性に優れた携帯電話機用レンズフィルムを提供することができる。
【考案を実施するための最良の形態】
【００１４】以下、図面を参照して本考案の望ましい実施形態を詳細に説明する。但し、本考案は多くの異なる態様で実施することが可能であり、以下に示す実施の形態の記載内容に限定して解釈されるものではない。【００１５】（第１の実施形態）
図１は、本考案の第１の実施形態に係る携帯電話機用レンズフィルムを携帯電話機の表示部に付着させた状態を示した図である。フレネルレンズ部を備えた携帯電話機用レンズフィルム１００は、携帯電話機１の表示部７の表面に貼り付けられている。【００１６】本考案の第１の実施形態に係る携帯電話機用レンズフィルム１００は、携帯電話機の表示部７の表面に貼り付けた状態では、外観上目立たず、携帯電話機の表示部の保護に用いられる保護フィルムと変わるところがないように見える。【００１７】本考案の第１の実施形態に係る携帯電話機用レンズフィルム１００は、厚さを０．５ｍｍ以下と薄く形成することによって、折りたたみ式の携帯電話機の表示部の表面に付着させても、折りたたむ際の障害にならない。また、従来のフレネルレンズとは異なり、場所をとらず収納スペースも不要である。【００１８】さらに、本考案の第１の実施形態に係る携帯電話機用レンズフィルム１００は、フレネルレンズ部が透明な合成樹脂板より形成されて、接着部を介して携帯電話機の表示部の表面に直接貼り付けられる。このため、携帯電話機の表示部に直接傷が付くのを防止することができ、保護フィルムとしての機能も果たす。【００１９】図２は、本考案の第１の実施形態に係る携帯電話機用レンズフィルム１００をフレネルレンズとして使用するときの使用方法を示した図である。使用者は、指で携帯電話機用レンズフィルム１００を、携帯電話機の表示部７の表面から略垂直方向に向けて剥がし、一定の距離を保ちながら表示画面を見るようにして使用する。使用者が携帯電話機用レンズフィルム１００を剥がしやすいように、リブ１１０を設けている。使用者は、このリブ１１０を指でめくったり爪で剥がしたりして、容易に剥がし取ることができる。なお、リブ１１０を設けない実施形態としてもよい。【００２０】図３（ａ）は、本考案の第１の実施形態に係る携帯電話機用レンズフィルム１００の平面図であり、図３（ｂ）は、図３（ａ）のＡ−Ａ’線の断面図である。本考案の第１の実施形態に係る携帯電話機用レンズフィルム１００は、携帯電話機の表示部を拡大表示させるためのフレネルレンズ部１０１と前記フレネルレンズ部を付着させるための接着部１０２とからなる。また、製品としてパッケージに入れるときには、前記接着部を保護するための剥離用シート１０３を設ける。この剥離用シート１０３は、使用時に剥がすことが容易な材質を用いる。【００２１】次に、フレネルレンズ部１０１について説明する。フレネルレンズは、レンズ面を連続面ではなく階段状にしたレンズである。同一平面に対し同心円状のプリズムを並べて構成したものと考えることもできる。通常の球面レンズである凹レンズや凸レンズに比べて、レンズ自体の厚みを薄くできるという利点がある。球面レンズではできない口径より短い焦点距離のレンズが実現できる。フレネルレンズ部の材質は、透明な合成樹脂を用いたものであって、例えばアクリル樹脂であってもよく、ポリエチレンテレフタレート（ＰＥＴ）であってもよく、ポリカーボネートであってもよい。【００２２】次に接着部１０２について説明する。図４（ａ）は、接着部１０２の構成を示した図である。接着部１０２は、接着部１０２とフレネルレンズ部１０１とを接合させる接着剤層１０２１と、接着剤層１０２１と接着される面と反対側の面に携帯電話機の表示部の表面に繰り返し着脱することが可能な特殊加工をした透明な樹脂系フィルム１０２２とから構成される。この繰り返し着脱することが可能な樹脂系フィルム１０２２としては、ポリエステルフィルムが望ましく、ポリエステルフィルムの接着剤層１０２１と接着される面と反対側の面の表面を特殊加工して着脱可能な粘着力を持たせたものが使用される。【００２３】また、接着部１０２の別の構成を図４（ｂ）に示す。図４（ｂ）に示す接着部１０２は、接着部１０２とフレネルレンズ部１０１とを接合させる接着剤層１０２１と、透明な樹脂材料により生成される基材１０２３と、繰り返し着脱可能な粘着力を持たせた接着剤１０２４とから構成される。接着剤１０２４としては、ウレタンゴム、シリコンゴム、アクリルゴム等の各種粘着ゴム系接着剤を採用できるが、粘着力が非常に高くかつ粘着力の調整が可能で、しかも接着面での気泡を排除しやすい点で、ウレタンゴムが好ましい。ウレタンゴム、シリコンゴム、アクリルゴム等の各種粘着ゴム系接着剤１０２４は、透明な樹脂材料からなる基材１０２３を介して、接着剤層１０２１によりフレネルレンズ部１０１に接合される。【００２４】（第２の実施形態）
図６は、本考案の第２の実施形態に係る携帯電話機用レンズフィルム２００の断面図である。図５は、本考案の第１の実施形態に係る携帯電話機用レンズフィルム１００の断面図である。本考案の第２の実施形態に係る携帯電話機用レンズフィルム２００は、本考案の第１の実施形態と異なり、フレネルレンズ面がむきだしにならず、上面が平面となるように透明な樹脂を材料とする補強板１０１２を設けた。図５に示した本考案の第１の実施形態の場合、上面にフレネルレンズの凹凸があるため、塵埃が入り込むと見難くなるおそれがある。これを防止するために補強板１０１２を設けて、上面を平面とすることにより、塵埃が入り込むことを防止することとした。その他の点は、本考案の第１の実施形態と同様である。【００２５】（第３の実施形態）
図７は、本考案の第３の実施形態に係る携帯電話機用レンズフィルム３００の平面図である。本考案の第２の実施形態に係る携帯電話機用レンズフィルム３００は、フレネルレンズ部の上面の一部に、レンズ加工をせずに平面加工をし、かつ、印刷が可能となる印刷可能領域３０１を設けた。その他の点は、本考案の第１の実施形態と同様である。【００２６】以上に示した本考案の第１の実施形態乃至第３の実施形態に係る携帯電話機用レンズフィルムは、いずれも量産性を高めるために、ビク抜き型で所望の形状に型抜きする。すなわち、刃のついた抜き型を合板のプレートに組付け、ビクトリア打ち抜き機で型抜き加工する方法を用いる。これにより所望の形状の携帯電話機用レンズフィルムを量産することができる。携帯電話機の機種により表示部の形状が異なるため、表示部の形状に応じたビク抜き型を予め製作し、これを用いて量産をすることにより作業工数が削減できる。
【図面の簡単な説明】
【００２７】
【図１】本考案の第１の実施形態に係る携帯電話機用レンズフィルムを携帯電話機に貼り付けた状態を示す図。
【図２】本考案の第１の実施形態に係る携帯電話機用レンズフィルムを用いて表示部を拡大表示させるときの使用方法を示した図。
【図３】本考案の第１の実施形態に係る携帯電話機用レンズフィルムの平面図及び断面図。
【図４】本考案の第１の実施形態に係る携帯電話機用レンズフィルムの接着部１０２の構成を示した図
【図５】本考案の第１の実施形態に係る携帯電話機用レンズフィルムの断面を拡大した図。
【図６】本考案の第２の実施形態に係る携帯電話機用レンズフィルムの断面図。
【図７】本考案の第３の実施形態に係る携帯電話機用レンズフィルムの平面図。
【符号の説明】
【００２８】１  携帯電話機
７  表示部
１００  携帯電話機用レンズフィルム
１０１  フレネルレンズ部
１０２  接着部
１０３  剥離用シート
１１０  リブ
３０１  印刷可能領域
１０１１  フレネルレンズ
１０１２  補強板
１０２１  接着剤層
１０２２  ポリエステルフィルム
１０２３  基材
１０２４  接着剤
【図１】
0003125218.tif 000003
【図２】
0003125218.tif 000004
【図３】
0003125218.tif 000005
【図４】
0003125218.tif 000006
【図５】
0003125218.tif 000007
【図６】
0003125218.tif 000008
【図７】
0003125218.tif 000009